(57)【要約】【課題】容器本体に対して口が小さく、よって逆さに置くと不安定となるような容器であっても、そのような小さな口に適用して取り付けることができ、取り付けたままで口の開閉ができ、しかも逆さにしても安定して立てて置くことができるキャップ装置の提供を課題とする。【解決手段】チューブ状容器等、逆さに置くと不安定となる容器Ａの口部に取り付けられるキャップ１装置であって、前記容器Ａの口部に螺合等により着脱自在に取り付けられるキャップ本体１０と、該キャップ本体１０に一体に取り付けられてキャップ本体１０を開閉自在に蓋する蓋体２０とを少なくとも有し、該蓋体２０には蓋体上面を拡張する拡張片２４を前記蓋体２０に対して収納自在に設け、且つ拡張片２４は、非拡張時には蓋体２０の上部に収納され、拡張時には動かされて蓋体上面の外方に出っ張るように構成してある。【選択図】　　　　図４
0003097725.tif 000002
【実用新案登録請求の範囲】
【請求項１】
チューブ状容器等、逆さに置くと不安定となる容器の口部に取り付けられるキャップ装置であって、前記容器の口部に螺合等により着脱自在に取り付けられるキャップ本体と、該キャップ本体に一体に取り付けられてキャップ本体を開閉自在に蓋する蓋体とを少なくとも有し、該蓋体には蓋体上面を拡張する拡張片を前記蓋体に対して収納自在に設け、且つ拡張片は、非拡張時には蓋体の上部に収納され、拡張時には動かされて蓋体上面の外方に出っ張るように構成してあることを特徴とするキャップ装置。
【請求項２】
拡張片は、収納位置と拡張位置との間をスライドするスライド片であることを特徴とする請求項１に記載のキャップ装置。
【請求項３】
拡張片は、収納位置と拡張位置との間を回動する回動片であることを特徴とする請求項１に記載のキャップ装置。
【請求項４】
蓋体によって覆われるキャップ本体上面には、容器内部の内容物を少量ずつ出すための突出小口が設けられ、蓋体の裏面には該蓋体によりキャップ本体を蓋した際に前記突出小口の口を塞ぐ突出栓部が設けられていることを特徴とする請求項１〜３の何れかに記載のキャップ装置。
【考案の詳細な説明】
【０００１】
【考案の属する技術分野】
本考案は容器の口に取り付けられるキャップ装置に関する。
【０００２】
【従来の技術】
従来、チューブ状のケチャップ容器やマヨネーズ容器、アラビヤゴム糊、半練状物質の容器等においては、内容物を絞り出し易くするために、容器を軟質のチューブ状とし、且つ容器の口を比較的小さく作っていた。これによって、使用時に使用者が容器のチューブを押すことで、容器の小さな口から容易にケチャップ等の内容物を絞り出すことができた。
【０００３】
【考案が解決しようとする課題】
一方、上記のようなチューブ状のケチャップ容器やマヨネーズ容器等の容器においては、内容物が減ってくると、内容物が容器内の底に残り、チューブを押しても簡単には出てこない問題がある。この問題については、容器を予め逆さにして置いておくと、内容物が逆さにした容器の出口付近に集まり、使用時に内容物の絞り出しが容易に行えることがわかっている。が、その一方、この種の容器では粘状の内容物を絞り出し易くするために、容器の出口を小さくする必要性がある。このため容器を逆さに置くのが困難であり、或いは不安定で倒れ易いという問題があり、冷蔵庫内等に逆立ち状態に安定して保管して置くことができない問題があった。
【０００４】
そこで本考案は上記従来における問題点を解消し、容器本体に対して口が小さく、よって逆さに置くと不安定となるような容器であっても、そのような小さな口に適用して取り付けることができ、取り付けたままで口の開閉ができ、しかも逆さにしても安定して立てて置くことができるキャップ装置の提供を課題とする。
【０００５】
【課題を解決するための手段】
上記課題を達成するため、本考案のキャップ装置は、チューブ状容器等、逆さに置くと不安定となる容器の口部に取り付けられるキャップ装置であって、前記容器の口部に螺合等により着脱自在に取り付けられるキャップ本体と、該キャップ本体に一体に取り付けられてキャップ本体を開閉自在に蓋する蓋体とを少なくとも有し、該蓋体には蓋体上面を拡張する拡張片を前記蓋体に対して収納自在に設け、且つ拡張片は、非拡張時には蓋体の上部に収納され、拡張時には動かされて蓋体上面の外方に出っ張るように構成してあることを第１の特徴としている。また考案のキャップ装置は、上記第１の特徴に加えて、拡張片は、収納位置と拡張位置との間をスライドするスライド片であることを第２の特徴としている。また本考案のキャップ装置は、上記第１の特徴に加えて、拡張片は、収納位置と拡張位置との間を回動する回動片であることを第３の特徴としている。
また本考案のキャップ装置は、上記第１〜第３の何れかの特徴に加えて、蓋体によって覆われるキャップ本体上面には、容器内部の内容物を少量ずつ出すための突出小口が設けられ、蓋体の裏面には該蓋体によりキャップ本体を蓋した際に前記突出小口の口を塞ぐ突出栓部が設けられていることを第４の特徴としている。
【０００６】
上記第１の特徴によれば、蓋体付きのキャップ本体を容器の口部に螺合等により取り付けることで、キャップ装置の容器への取り付けが完了する。容器内のケチャップ等の内容物を出す際には、蓋体を開き、軟質のチューブ状の容器を逆さにして押すことで、内容物がキャップ本体から絞り出されてくる。
不使用時において、容器を逆さに立てて置く場合は、キャップ本体に蓋体を閉じた状態とし、収納状態にある拡張片を拡げて蓋体上面を外方に拡張し、その状態で容器を逆さにして、前記蓋体の上面で接地するようにして置く。載置面と当接する蓋体上面の領域が拡張されることで、逆さにした容器がその蓋体上面によって安定して立てて置かれる。
前記容器を逆さにして立てて置く必要のない場合や、容器使用時には、拡張片を元の状態に収納することで、蓋体が元の普通の状態に戻る。
よって第１の特徴に係るキャップ装置によれば、ケチャップ、マヨネーズ、その他の半練状物質等の粘状物を容易に絞り出すことができる比較的小径の口部をもつ容器に適用されて、キャップ本体自体については何ら容器から取り外すことなく、蓋体を開け閉めするだけで、容易に内容物を絞り出すことができる。
しかも、不使用時には拡張片をもって蓋体の上面を外方へ拡張することで、口の小さい容器であっても安定して逆さ状態に立てて置くことができる。従って内容物を逆立ちさせた容器の口の方に寄せておくことができるので、内容物の量が少なくなっている場合でも、必要に応じて速やかに内容物を絞り出すことができる。
加えて拡張片は、非拡張時には蓋体の上面に収納されるので、蓋体を開け閉めして内容物を容器から絞り出したりする使用時において、前記拡張片がそれら蓋体の開け閉めや内容物の絞り出し操作を何ら邪魔することがない。
また拡張片は、拡張時には動かされて蓋体上面の外方に出っ張ることで、蓋体の上面を容易に拡張させることができる。
【０００７】
上記第２の特徴によれば、上記第１の特徴による作用効果に加えて、拡張片は、収納位置と拡張位置との間をスライドするスライド片であるので、容器を逆さに立てて置く場合には、拡張片を収納位置から拡張位置までスライドさせることで、容易に逆立ちの準備を整えることができる。また通常時には拡張片を収納位置に収納しておくことで、それらスライド片が邪魔になることなく、通常の使用を支障なく行える。
【０００８】
上記第３の特徴によれば、上記第１の特徴による作用効果に加えて、拡張片は、収納位置と拡張位置との間を回動する回動片であるので、容器を逆さに立てて置く場合には、拡張片を収納位置から拡張位置まで回動させることで、容易に逆立ちの準備を整えることができる。また通常時には拡張片を収納位置に収納しておくことで、この場合にも拡張片が邪魔になることなく、通常の使用を支障なく行える。
【０００９】
上記第４の特徴によれば、上記第１〜３の何れかの特徴による作用効果に加えて、蓋体によってキャップ本体を蓋すれば、それに伴って蓋体の裏面に設けられた突出栓部がキャップ本体の上面に設けられた突出小口を塞ぐ。これによって蓋体による蓋がなされた状態において、容器内の内容物が突出小口から漏出するのを確実に防止することができる。また一方、蓋体を開けると、それに伴って蓋体の突出栓部によるキャップ本体の突出小口の栓が外される。これによって容器内の内容物をキャップ本体上面の突出小口から絞り出す準備が整う。
よって第４の特徴によれば、容器の逆立ち保管の機能と、内容物の少量供給の円滑化及び漏出の防止の機能とを確実に果すことができる。
【００１０】
【考案の実施の形態】
以下の図面を参照しながら本考案の実施形態を説明することで、本考案を更に詳細に説明する。
図１〜図７は本考案のキャップ装置の第１の実施形態を示し、図１は本考案のキャップ装置を容器に取り付けた状態を示す全体斜視図、図２は容器に取り付けられたキャップ装置の蓋体を開けた状態を示す斜視図、図３は容器に取り付けられたキャップ装置の蓋体を閉じた状態の縦断面図、図４は容器に取り付けられたキャップ装置の蓋体の上面が拡張された状態を示す斜視図、図５はキャップ装置の蓋体に設けた案内溝を説明する図、図６は拡張片の裏面側を示す斜視図、図７は拡張片の蓋体への取り付け状態を説明する断面図である。図８と図９は本考案のキャップ装置の第２の実施形態を示し、図８は拡張片が収納位置にあるキャップ装置の斜視図、図９は拡張片が拡張位置にあるキャップ装置の斜視図である。図１０〜図１２は本考案のキャップ装置の第３の実施形態を示し、図１０は拡張片が収納位置にあるキャップ装置の斜視図、図１１は拡張片が拡張位置にあるキャップ装置の斜視図、図１２は拡張片の蓋体への取り付け状態を説明する断面図である。図１３と図１４は本考案のキャップ装置の第４の実施形態を示し、図１３は拡張片が収納位置にあるキャップ装置の斜視図、図１４は拡張片が拡張位置にあるキャップ装置の斜視図である。
【００１１】
先ず、図１〜７を参照して、本考案の第１の実施形態であるキャップ装置を説明する。
図１を参照して、本考案のキャップ装置１は合成樹脂からなり、容器Ａの口部に着脱自在に取り付けられて、その機能を発揮する。
本考案のキャップ装置が主として適用される容器Ａは、ケチャップやマヨネーズ、その他の粘状物を絞り出して使用するのに適した軟質のチューブ状の容器である。また容器Ａの口部が胴部に比べて小さく、よってそのままでは容器を逆立てて置くことが困難となるような容器に好ましく用いられる。
キャップ装置１は容器Ａの口部に対して螺合することで、着脱自在に容器Ａの口部に被さって取り付けられるようになされている。勿論、螺合以外の手段で着脱自在に取り付けられるようにしてもよい。
【００１２】
図２〜図４も参照して、キャップ装置１はキャップ本体１０と蓋体２０とからなる。
前記キャップ本体１０は、円筒状の側周部１１に天井部１２が付いたもので、側周部１１の内面には容器Ａの口部に螺合して被さるための雌ネジ１３が設けられている。また側周部１１の外面には、キャップ本体１０を着脱する際に回し易いように凹凸線条１４が全周にわたって縦方向設けられている。
前記キャップ本体１０の天井部１２には、容器Ａ内の内容物を少量ずつ出すための穴が突出小口１５として天井部１２上面１２ａの一部に少し突出して設けられている。この突出小口１５は上面１２ａの中央付近から少し外れた位置に設ける他、中央付近に設けてもよい。また突出小口１５の口径は、内容物の流動性の程度等に応じて好ましい大きさとすることができる。
前記天井部１２の上面１２ａはその周囲近くに蓋体２０の側周壁２１と嵌り合うためのリング状凸部１６が設けられ、そのリング状凸部１６で囲まれた中央部が少し凹んだ状態に構成されている。
【００１３】
前記蓋体２０は蝶番部３０を介して前記キャップ本体１０と一体に形成されている。蓋体２０はこの蝶番部３０によってキャップ本体１０に対して開閉自在に回動して蓋ができるようになされている。
蓋体２０は側周壁２１と天井部２２とを有する浅いキャップ状の蓋となされており、前記側周壁２１が前記キャップ本体１０の上面１２ａのリング状凸部１６に対して嵌り合い、且つ蓋体２０の側周部１１と面一になる。
前記天井部２２の下面側、即ち蓋体２０の裏面には、前記キャップ本体１０の突出小口１５に対応する位置に突出栓部２３が設けられている。この突出栓部２３は、蓋体２０がキャップ本体１０を蓋した際に前記突出小口１５の口に侵入して、口を塞ぐ。これによって、蓋がなされているときに容器Ａのチューブが押されても、内容物が突出小口１５から漏れることが防止される。
【００１４】
前記蓋体２０の天井部２２の上面側、即ち蓋体２０の上表面には、拡張片２４が設けられている。
この拡張片２４は、蓋体２０の上面を放射方向に拡張するための移動片である。蓋体２０の上面が放射状に拡張されることで、容器Ａを逆立ち状態に載置する際に、蓋体２０と接地面との接地領域が拡大され、安定した載置ができる。
拡張片２４は、図１に示す収納位置から図４に示す拡張位置までの間をスライドできるように構成されている。
拡張片２４は、非拡張時には前記図１に示す収納位置とされて、蓋体２０の基本形状の一部をなすべく蓋体２０の上部に収納される。この状態では蓋体２０は通常にある蓋そのものである。
一方、拡張片２４は、拡張時には前記収納位置から放射方向にスライドされて、蓋体１０上面の外方に出っ張るようになされ、図４に示す拡張位置とされる。拡張片２４は本実施形態では円周方向に３分割された３枚の拡張片からなるが、円周方向に４分割された４枚の拡張片としてもよい。また対向する位置に設けられた２枚の拡張片で構成することも可能である。
【００１５】
図５〜図７も参照して、各拡張片２４は、その円弧状の外縁に下向きのフランジ２４ａが設けられ、また裏面の中央部には半径方向の噛合いリブ２４ｂが突出して設けられ、該噛合いリブ２４ｂの先端付近にストッパー２４ｃが更に突出して設けられている。
一方、各拡張片２４が取り付けられる蓋体２０の天井部２２の上面には、前記噛合いリブ２４ｂに対応するスライド溝２２ｂが半径方向に設けられ、このスライド溝２２ｂの中に更に前記ストッパー２４ｃを受け入れてその移動範囲を規制する移動範囲規制溝２２ｃが設けられている。
前記噛合いリブ２４ｂとスライド溝２２ｂとは、それぞれに多少の逆テーパを付けることで、嵌り合った両者が相互に簡単には抜けないようにしている。
各拡張片２４は、拡張位置から収納位置方向へ押されることで、蓋体２０の上面の中心方向にスライドし、やがて拡張片２４のフランジ２４ａが天井部２２の側壁に当接しストップする。この状態で各拡張片２４の側周がキャップ本体１０の側周部１１及び蓋体２０の側周壁２１と面一となり、また各拡張片２４、２４、２４が相互に当接して、蓋体２０の上部に収納された状態となり、蓋体２０の基本形状における上部形状そのものとなる。
【００１６】
図８と図９を参照して、本考案の第２の実施形態に係るキャップ装置を説明する。
この第２の実施形態に係るキャップ装置２も、上記第１の実施形態のキャップ装置１と同様にキャップ本体１０と蓋体２０とを有し、蓋体２０が蝶番部３０でキャップ本体１０に一体的に取り付けられている。
第２の実施形態におけるキャップ本体１０は、前記第１の実施形態におけるキャップ本体１０と同じ構成としており、同一の符号で示す。同様に、第２の実施形態における蝶番部３０も第１の実施形態における蝶番部３０と同じ構成であり、同一の符号で示す。
第２の実施形態における蓋体２０も第１の実施形態における蓋体２０と、拡張片２４の構成を除き同じであり、同一の符号で示す。
【００１７】
第２の実施形態のキャップ装置２では、蓋体２０の拡張片２５、２５の構成が第１の実施形態の拡張片２４と異なる。
第２の実施形態における拡張片２５は、蓋体２０の上部の外周を２分する半リング部２５ａと、該半リング部２５ａの内周側の中心部から半径方向に突出して設けられた噛合い部２５ｂとからなる。
前記噛合い部２５ｂの裏面側の先端付近には、図６に示すストッパー２４ｃと同じストッパーが設けられている。前記噛合い部２５ｂに対応して、図５に示すように、蓋体２０の天井部２２の上面には、スライド溝２２ｂが半径方向に設けられ、このスライド溝２２ｂの中に更に拡張片２５の移動範囲を規制する移動範囲規制溝２２ｃが設けられている。
前記噛合い部２５ｂとスライド溝２２ｂとは、それぞれに多少の逆テーパを付けることで、嵌り合った両者が相互に簡単には抜けないようにしている。
各拡張片２５は、拡張位置から収納位置方向へ押されることで、蓋体２０の上面の中心方向にスライドし、やがて拡張片２５の半リング部２５ａが天井部２２の側壁に当接してストップする。この状態で各拡張片２５の半リング部２５ａがキャップ本体１０の側周部１１及び蓋体２０の側周壁２１と面一となり、また一対の拡張片２５、２５は蓋体２０の上部に収納された状態となり、蓋体２０の基本形状における上部形状そのものとなる。
【００１８】
図１０〜図１２を参照して、本考案の第３の実施形態に係るキャップ装置を説明する。
この第３の実施形態に係るキャップ装置３も、上記第１、第２の実施形態のキャップ装置１、２と同様、にキャップ本体１０と蓋体２０とを有し、蓋体２０が蝶番部３０でキャップ本体１０に一体的に取り付けられている。
第１、第２の実施形態のキャップ装置１、２においては、それぞれ拡張片２４、２５が収納位置と拡張位置との間でスライド移動する構成としたが、この第３の実施形態におけるキャップ装置３においては、拡張片２６が収納位置と拡張位置との間で回動する回動片として構成されている。
本キャップ装置３のキャップ本体は、第１、第２の実施形態で既述したキャップ本体１０と同じ構成であり、同じ符号１０で示す。またこのキャップ装置３の蓋体も、前記拡張片２６の構成を除いて、第１、第２の実施形態で既述した蓋体２０と同じ構成であり、同じ符号２０で示す。
【００１９】
この第３の実施形態におけるキャップ装置３の拡張片２６は、等分された３つの各片２６、２６、２６が収納状態において、その外周が蓋体２０の側周壁２１と面一となるようにされている。
各拡張片２６は、図１２に示すように、その裏面に回動軸となる突出軸ピン２６ａが設けられ、これに対応して蓋体２０の天井部２２の上面に軸受け穴２２ｅが設けられている。突出軸ピン２６ａは軸受け穴２２ｅに対して簡単に抜け出さないように返りを設けて嵌められており、これによって各拡張片２６は突出軸ピン２６ａを中心に回動することができるようになされている。
各拡張片２６は、図１１に示すような拡張位置まで回動されることで、蓋体２０の上面が輪ｒ（図面上の２点鎖線）で示す領域まで拡張されることになり、容器Ａの逆立ち載置が安定して行えるようになる。
また各拡張片２６は、図１１に示す拡張位置から図１０に示す収納位置まで回動されることで、各拡張片２６の側面がキャップ本体１０の側周部１１及び蓋体２０の側周壁２１と面一となり、全体として蓋体２０の上部に収納された状態となって蓋体２０の基本形状における上部形状そのものとなる。
【００２０】
図１３、１４を参照して、本考案の第４の実施形態に係るキャップ装置を説明する。この第４の実施形態におけるキャップ装置４の拡張片２７は、３つの各片２７、２７、２７がその平面視において三つ巴模様を形成するように構成されている。各拡張片２７は収納状態において、その外周が蓋体２０の側周壁２１と面一となる。各拡張片２７の合わさった中心部にはガイド柱２２ｄが蓋体２０の天井部２２に設けられている。
各拡張片２７は、前記図１２に示す突出軸ピン２６ａと同様に、その裏面に回動軸となる突出軸ピン２７ａが設けられ、これに対応して蓋体２０の天井部２２の上面に軸受け穴２２ｅが設けられている。突出軸ピン２７ａは軸受け穴２２ｅに対して簡単に抜け出さないように返りを設けて嵌められており、これによって各拡張片２７は突出軸ピン２７ａを中心に回動することができるようになされている。
各拡張片２７は、図１４に示すような拡張位置まで回動されることで、蓋体２０の上面が輪ｒ（図面上の２点鎖線）で示す領域まで拡張されることになり、容器Ａの逆立ち載置が安定して行えるようになる。
【００２１】
【考案の効果】
本考案は以上の構成、作用よりなり、請求項１に記載のキャップ装置によれば、チューブ状容器等、逆さに置くと不安定となる容器の口部に取り付けられるキャップ装置であって、前記容器の口部に螺合等により着脱自在に取り付けられるキャップ本体と、該キャップ本体に一体に取り付けられてキャップ本体を開閉自在に蓋する蓋体とを少なくとも有し、該蓋体には蓋体上面を拡張する拡張片を前記蓋体に対して収納自在に設け、且つ拡張片は、非拡張時には蓋体の上部に収納され、拡張時には動かされて蓋体上面の外方に出っ張るように構成してあるので、
ケチャップやマヨネーズ、その他の粘状物を容易に絞り出すことができる比較的小径の口部をもつ容器に適用されて、キャップ本体自体については何ら容器から取り外すことなく、蓋体を開け閉めするだけで、容易に内容物を絞り出すことができる。
しかも、不使用時には拡張片をもって蓋体の上面を外方へ拡張することで、口の小さい容器であっても安定して逆さ状態に立てて置くことができる。よって、内容物を逆立ちさせた容器の口の方に寄せておくことができるので、内容物の量が少なくなっている場合でも、必要に応じて速やかに内容物を絞り出すことができる。
加えて、拡張片は、非拡張時には蓋体の上部に収納され、拡張時には動かされて蓋体上面の外方に出っ張るように構成されているので、蓋体を開け閉めして内容物を容器から絞り出したりする使用時において、前記拡張片がそれら蓋体の開け閉めや内容物の絞り出し操作を何ら邪魔することがない。
また拡張片は、拡張時には動かされて蓋体上面の外方に出っ張ることで、蓋体の上面を容易に拡張させることができる。
また請求項２に記載のキャップ装置によれば、上記請求項１に記載の構成による効果に加えて、拡張片は、収納位置と拡張位置との間をスライドするスライド片であるので、
容器を逆さに立てて置く場合には、拡張片を収納位置から拡張位置までスライドさせることで、容易に逆立ちの準備を整えることができる。また通常時には拡張片を収納位置に収納しておくことで、それらスライド片が邪魔になることなく、通常の使用を支障なく行える。
また請求項３に記載のキャップ装置によれば、上記請求項１に記載の構成による効果に加えて、拡張片は、収納位置と拡張位置との間を回動する回動片であるので、
容器を逆さに立てて置く場合には、拡張片を収納位置から拡張位置まで回動させることで、容易に逆立ちの準備を整えることができる。また通常時には拡張片を収納位置に収納しておくことで、この場合にも拡張片が邪魔になることなく、通常の使用を支障なく行える。
また請求項４に記載のキャップ装置によれば、上記請求項１〜３の何れかに記載の構成による効果に加えて、蓋体によって覆われるキャップ本体上面には、容器内部の内容物を少量ずつ出すための突出小口が設けられ、蓋体の裏面には該蓋体によりキャップ本体を蓋した際に前記突出小口の口を塞ぐ突出栓部が設けられているので、
蓋体による蓋がなされた状態において、容器内の内容物が突出小口から漏出するのを確実に防止することができる。また一方、蓋体を開けることで同時にキャップ本体の突出小口の栓が外され、これによって容器内の内容物をキャップ本体上面の突出小口から絞り出す準備を整えることができる。よって容器の逆立ち保管の機能に加えて、内容物の少量供給の円滑化及び漏出の防止の機能とを確実に果すことができる。
【図面の簡単な説明】
【図１】本考案の第１の実施形態にかかるキャップ装置を容器に取り付けた状態を示す全体斜視図である。
【図２】容器に取り付けられた第１の実施形態のキャップ装置の蓋体を開けた状態を示す斜視図である。
【図３】容器に取り付けられた第１の実施形態のキャップ装置の蓋体を閉じた状態の縦断面図である。
【図４】容器に取り付けられた第１の実施形態のキャップ装置の蓋体の上面が拡張された状態を示す斜視図である。
【図５】第１の実施形態のキャップ装置の蓋体に設けた案内溝を説明する図である。
【図６】第１の実施形態のキャップ装置の拡張片の裏面側を示す斜視図である。
【図７】第１の実施形態のキャップ装置の拡張片の蓋体への取り付け状態を説明する断面図である。
【図８】拡張片が収納位置にある第２の実施形態のキャップ装置の斜視図である。
【図９】拡張片が拡張位置にある第２の実施形態のキャップ装置の斜視図である。
【図１０】拡張片が収納位置にある第３の実施形態のキャップ装置の斜視図である。
【図１１】拡張片が拡張位置にある第３の実施形態のキャップ装置の斜視図である。
【図１２】第３の実施形態のキャップ装置の拡張片の蓋体への取り付け状態を説明する断面図である。
【図１３】拡張片が収納位置にある第４の実施形態のキャップ装置の斜視図である。
【図１４】拡張片が拡張位置にある第４の実施形態のキャップ装置の斜視図である。
【符号の説明】
１、２、３、４　キャップ装置
１０　　キャップ本体
１１　　側周部
１２　　天井部
１３　　雌ネジ
１４　　凹凸線条
１５　　突出小口
２０　　蓋体
２１　　側周壁
２２　　天井部
２２ｂ　スライド溝
２２ｃ　移動範囲規制溝
２２ｄ　ガイド柱
２２ｅ　軸受け穴
２３　　突出栓部
２４　　拡張片
２４ａ　フランジ
２４ｂ　噛合いリブ
２４ｃ　ストッパー
２５　　拡張片
２５ａ　半リング部
２５ｂ　噛合い部
２６　　拡張片
２６ａ　突出軸ピン
２７　　拡張片
２７ａ　突出軸ピン
３０　　蝶番部
Ａ　　　容器
ｒ　　　輪
【図１】
0003097725.tif 000003
【図２】
0003097725.tif 000004
【図３】
0003097725.tif 000005
【図４】
0003097725.tif 000006
【図５】
0003097725.tif 000007
【図６】
0003097725.tif 000008
【図７】
0003097725.tif 000009
【図８】
0003097725.tif 000010
【図９】
0003097725.tif 000011
【図１０】
0003097725.tif 000012
【図１１】
0003097725.tif 000013
【図１２】
0003097725.tif 000014
【図１３】
0003097725.tif 000015
【図１４】
0003097725.tif 000016